(57)【要約】【課題】電池認証によってとっさに行わなければならない処理が行えなくなることを防止しつつ、不必要な処理が行われることも防止する。【解決手段】電子機器は、装着された電池を認証する認証手段と、前記認証手段による認証処理の完了前に第１の処理の実行指示がなされた場合、前記認証処理の完了前には前記第１の処理を実行せず、前記認証手段による認証処理の完了前に第２の処理の実行指示がなされた場合には、前記認証処理の完了前であっても前記第２の処理を実行するように制御する制御手段と、を有する。【選択図】図１０
2015127889.tif 000002
【特許請求の範囲】
【請求項１】
装着された電池を認証する認証手段と、
前記認証手段による認証処理の完了前に第１の処理の実行指示がなされた場合、前記認証処理の完了前には前記第１の処理を実行せず、前記認証手段による認証処理の完了前に第２の処理の実行指示がなされた場合には、前記認証処理の完了前であっても前記第２の処理を実行するように制御する制御手段と、を有することを特徴とする電子機器。
【請求項２】
前記制御手段は、前記認証手段による認証処理の完了前に前記第１の処理の実行指示がなされた場合、前記認証処理の完了前には前記第１の処理を実行せず、前記認証処理が完了した後、認証がされた場合に前記第１の処理を実行するように制御することを特徴とする請求項１に記載の電子機器。
【請求項３】
前記認証手段による認証処理が完了し、認証されなかった場合には、前記電池に関する確認画面を表示するように制御する表示制御手段をさらに有することを特徴とする請求項１または２に記載の電子機器。
【請求項４】
前記表示制御手段は、前記認証手段による認証処理の完了前に前記第１の処理の実行指示がなされ、前記認証処理が完了した後、認証がされなかった場合に前記確認画面を表示するように制御することを特徴とする請求項３に記載の電子機器。
【請求項５】
前記確認画面に表示された選択肢のうち特定の選択肢に対するユーザの選択操作に応じて、前記電子機器の電源をオフする電源制御手段をさらに有することを特徴とする請求項３または４に記載の電子機器。
【請求項６】
前記第１の処理は、外部機器との接続処理を含むことを特徴とする請求項１ないし５のいずれか１項に記載の電子機器。
【請求項７】
前記制御手段は、前記認証処理の完了前であっても、接続する外部機器の選択および選択された外部機器との接続処理の実行指示を受け付けることを特徴とする請求項６に記載の電子機器。
【請求項８】
前記制御手段は、前記認証手段による認証処理の完了前に前記接続処理の実行指示がなされた場合、前記認証処理の完了前には前記接続処理を実行せず、接続待機画面を表示するように制御することを特徴とする請求項７に記載の電子機器。
【請求項９】
前記第１の処理は、画像から登録された人物の顔を検出する個人認証に関する設定処理を含むことを特徴とする請求項１ないし８のいずれか１項に記載の電子機器。
【請求項１０】
前記第１の処理は、動画の編集処理を含むことを特徴とする請求項１ないし９のいずれか１項に記載の電子機器。
【請求項１１】
撮像手段をさらに有し、
前記第２の処理は、前記撮像手段による撮像を含む処理を含むことを特徴とする請求項１ないし９のいずれか１項に記載の電子機器。
【請求項１２】
前記第２の処理は、前記撮像手段による静止画の撮影処理を含むことを特徴とする請求項１１に記載の電子機器。
【請求項１３】
前記第２の処理は、前記撮像手段による動画の記録処理を含むことを特徴とする請求項１１または１２に記載の電子機器。
【請求項１４】
前記第２の処理は、画像の再生処理を含むことを特徴とする請求項１ないし１３のいずれか１項に記載の電子機器。
【請求項１５】
装着された電池を認証する認証ステップと、
前記認証ステップによる認証処理の完了前に第１の処理の実行指示がなされた場合、前記認証処理の完了前には前記第１の処理を実行せず、前記認証ステップによる認証処理の完了前に第２の処理の実行指示がなされた場合には、前記認証処理の完了前に前記第２の処理を実行するように制御する制御ステップと、を有することを特徴とする電子機器の制御方法。
【請求項１６】
コンピュータを、請求項１ないし１４のいずれか１項に記載された電子機器の各手段として機能させるためのプログラム。
【請求項１７】
コンピュータを、請求項１ないし１４のいずれか１項に記載された電子機器の各手段として機能させるためのプログラムを格納したコンピュータが読み取り可能な記憶媒体。
【発明の詳細な説明】
【技術分野】
【０００１】
本発明は、電池により駆動する電子機器およびその制御方法に関する。
【背景技術】
【０００２】
近年、模倣電池の使用が原因とされる電子機器の不具合や故障が報告されている。ここでの模倣電池とは、メーカの純正部品であるかのように偽った違法な電池を意味し、いわゆるサードパーティー製の電池は含まない。模倣電池は、純正部品であれば組み込まれている一定の品質基準を満たした保護装置や安全部品が組み込まれていない場合がある。そのため、異常な発熱などにより不具合や故障を引き起こすことがある。しかし、このような模倣電池は、あたかも純正部品であるかのように偽って市場で販売されているため、ユーザが電池を購入する際に、メーカ純正部品の電池と模倣電池とを正確に見分けることは簡単なことではない。従って純正部品の電池を購入しようとしたユーザが誤って模倣電池を購入してしまうことも少なくなく、ユーザが模倣電池であることに気付かないまま使用するケースがある。そのため模倣電池による電子機器の不具合や故障を未然に防ぐ対策が望まれる。
【０００３】
例えば、特許文献１には、可搬電子機器に装着された電池が純正品か否かを判別する認証機能を使用して、電池が純正品でない場合や模倣品である場合に、警告の表示、電池の使用制限をする方法が開示されている。
【先行技術文献】
【特許文献】
【０００４】
【特許文献１】特開２００７−２８２４７１号公報
【発明の概要】
【発明が解決しようとする課題】
【０００５】
上記特許文献１では電池認証の結果によって所定の処理を実行するものであり、この方法によって模倣電池の使用による不具合や故障を未然に防ぐことが可能になる。
【０００６】
しかしながら、可搬電子機器がカメラであった場合、電池認証処理が完了するまで撮影操作を禁止してしまうと、とっさの撮影チャンスを逃してしまうことがある。すなわち、とっさに行わなければならない処理は、電池認証処理が完了するまで行えないようになってしまうと不都合である。
【０００７】
一方で、電池認証処理が完了する前に実行できてしまうと不都合な処理もある。例えば、外部機器との接続処理を電池認証の完了前に実行してしまうと、認証結果が失敗であった場合に、接続を切断する必要が出る場合があり、接続先の機器に不必要な接続による影響を及ぼしてしまう。
【０００８】
そこで、本発明は、電池認証によってとっさに行わなければならない処理が行えなくなることを防止しつつ、不必要な処理が行われることも防止する電子機器およびその制御方法を提供することを目的とする。
【課題を解決するための手段】
【０００９】
上記課題を解決し、目的を達成するために、本発明の電子機器は、装着された電池を認証する認証手段と、前記認証手段による認証処理の完了前に第１の処理の実行指示がなされた場合、前記認証処理の完了前には前記第１の処理を実行せず、前記認証手段による認証処理の完了前に第２の処理の実行指示がなされた場合には、前記認証処理の完了前であっても前記第２の処理を実行するように制御する制御手段と、を有する。
【発明の効果】
【００１０】
本発明によれば、本発明によれば、電池認証によってとっさに行わなければならない処理が行えなくなることを防止しつつ、不必要な処理が行われることも防止できる。
【図面の簡単な説明】
【００１１】
【図１】本実施形態の電子機器の外観図。
【図２】本実施形態の電子機器の構成を示すブロック図。
【図３】本実施形態の各モード時の画面表示例を示す図。
【図４】本実施形態のカメラ起動後の処理を示すフローチャート。
【図５】図４の電池認証失敗処理を示すフローチャート。
【図６】図４の静止画撮影モード時の処理を示すフローチャート。
【図７】図４の動画記録モード時の処理を示すフローチャート。
【図８】図４の再生モード時の処理を示すフローチャート。
【図９】図４の外部機器接続モード時の処理を示すフローチャート。
【図１０】図４のメニューモード時の処理を示すフローチャート。
【図１１】図４の各モード時の画面表示例を示す図。
【発明を実施するための形態】
【００１２】
以下に、本発明を実施するための形態について添付図面を参照して詳細に説明する。
【００１３】
＜装置構成＞図１及び図２を参照して、本発明を適用した実施形態の電子機器（本実施形態では、デジタルカメラを例に挙げる）の機能及び外観について説明する。
【００１４】
本実施形態のデジタルカメラ１００の背面外観を示す図１において、表示部１０１は画像や各種情報を表示する液晶表示パネル（ＬＣＤ）などからなる。電源ボタン１０２は電源のオン、オフを切り替えるス操作部である。シャッターボタン１０３は撮影指示を行うための操作部である。モード切替ボタン１０４は各種モードを切り替えるための操作部である。動画記録ボタン１０５は動画記録の開始指示を行うための操作部である。メニューボタン１０６はデジタルカメラ１００の各種設定を行うためのメニュー画面を表示する操作部である。ユーザは、表示部１０１に表示されたメニュー画面と、一体的な形状の上下左右の４方向ボタン１０７やＳＥＴボタン１０８やコントローラホイール１０９を用いて直感的に各種設定を行うことができる。コントローラホイール１０９は回転操作可能な操作部材である。
【００１５】
記録媒体１１０はメモリカードなどの記録媒体であり、不図示の記録媒体スロットに格納される。電池１１１は、アルカリ電池やリチウム電池などの一次電池やＮｉＣｄ電池やＮｉＭＨ電池、リチウムイオン電池などの二次電池であり、不図示の電池ボックスに格納される。記録媒体スロットに格納された記録媒体１１０は、デジタルカメラ１００との通信が可能となる。蓋１１２は記録媒体スロットおよび電池ボックスの蓋である。
【００１６】
コネクタ１１３は接続ケーブル１１４とデジタルカメラ１００とを接続するインターフェースである。
【００１７】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００１８】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００２０】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダとして機能し、スルー画像表示を行える。なお、スルー画像を言い換えるとライブビュー画像、スルー画像表示を言い換えるとライブビューであるものとする。
【００２１】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００２２】
システム制御部２０１は、デジタルカメラ１００全体を制御する。前述した不揮発性メモリ２１３に記録されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００２３】
システムタイマー２１１は各種制御に用いる時間や、内蔵された時計の時間を計測する計時部である。
【００２４】
電源ボタン１０２、シャッターボタン１０３、モード切替ボタン１０４、その他の操作部１０５〜１０９は、システム制御部２０１に各種の動作指示を入力するための操作手段である。
【００２５】
モード切替ボタン１０４は、システム制御部２０１の動作モードを、例えば、静止画撮影モード、動画記録モード、再生モード、外部機器接続モード、メニューモードその他のモードのいずれかに切り替える。静止画撮影モードに含まれるモードとして、オート撮影モード、オートシーン判別モード、マニュアルモード、撮影シーン別の撮影設定となる各種シーンモード、プログラムＡＥモード、カスタムモードなどがある。モード切替ボタン１０４で、静止画撮影モードに含まれるこれらのモードのいずれかに直接切り替えられる。あるいは、モード切替ボタン１０４で静止画撮影モードに一旦切り替えた後に、静止画撮影モードに含まれるこれらのモードのいずれかに、他の操作部材を用いて切り替えるようにしても良い。同様に、動画記録モードにも複数のモードが含まれていても良い。
【００２６】
第１シャッタースイッチ１０３ａは、シャッターボタン１０３の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２７】
第２シャッタースイッチ１０３ｂは、シャッターボタン１０３の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１１０に画像データを書き込むまでの一連の撮影処理（撮影・記録シーケンス）の動作を開始する。
【００２８】
操作部は、上述した操作部１０５〜１０９の他に、表示部１０１に対する接触を検知可能なタッチパネルを含む。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。
【００２９】
タッチパネルは、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタン１０６が押されると各種の設定可能なメニュー画面が表示部１０１に表示される。ユーザは、表示部１０１に表示されたメニュー画面と、上下左右の４方向ボタン１０７やＳＥＴボタン１０８やコントローラホイール１０９を用いて直感的に各種設定を行うことができる。
【００３０】
コントローラホイール１０９は、４方向ボタン１０７と共に選択項目を指示する際などに使用される。コントローラホイール１０９を回転操作すると、操作量に応じて電気的なパルス信号が発生し、このパルス信号に基づいてシステム制御部２０１はデジタルカメラ１００の各部を制御する。このパルス信号によって、コントローラホイール１０９が回転操作された角度や、何回転したかなどを判定することができる。なお、コントローラホイール１０９は回転操作が検出できる操作部材であればどのようなものでも良い。例えば、ユーザの回転操作に応じてコントローラホイール１０９自体が回転してパルス信号を発生するダイヤル操作部材であっても良い。また、タッチセンサよりなる操作部材で、コントローラホイール１０９自体は回転せず、コントローラホイール１０９上でのユーザの指の回転動作などを検出するものであっても良い（いわゆる、タッチホイール）。
【００３１】
電源制御部２１４は、電池検出回路、ＤＣ−ＤＣコンバータ、通電するブロックを切り替えるスイッチ回路などにより構成され、電池１１１の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１１０を含む各部へ供給する。
【００３２】
電源部２１５は、電池１１１としてのアルカリ電池やリチウム電池等の一次電池やＮｉＣｄ電池やＮｉＭＨ電池、リチウムイオン電池等の二次電池、ＡＣアダプタなどからなる。記録媒体Ｉ／Ｆ２１６は、メモリカードなどの記録媒体１１０とのインターフェースである。記録媒体１１０は、撮影された画像を記録するためのメモリカードなどの記録媒体であり、半導体メモリや磁気ディスク等から構成される。
【００３３】
外部Ｉ／Ｆ２１７は、無線アンテナや有線ケーブルによって外部機器３００と通信可能に接続し、映像や音声の送受信を行う。外部Ｉ／Ｆ２１７は無線ＬＡＮ（Ｌｏｃａｌ Ａｒｅａ Ｎｅｔｗｏｒｋ）やインターネットにも接続可能である。外部機器Ｉ／Ｆ２１７は撮像部２０５で撮像された画像データ（スルー画像を含む）や、記録媒体１１０に記録されている画像ファイルを外部機器３００に送信でき、また、外部機器３００から画像データやその他の各種情報を受信できる。
【００３４】
電池認証部２１８は、不図示の電池ボックスに装着されている電池１１１と通信を行い、電池が純正品であるか否かを判定する。
【００３５】
本実施形態のデジタルカメラ１００では中央１点ＡＦや顔ＡＦなどのオートフォーカス技術を用いた撮影が可能である。中央１点ＡＦとは撮影画面内の中央位置１点に対してＡＦを行うことである。顔ＡＦとは顔検出機能によって検出された撮影画面内の顔（主顔）に対してＡＦを行うことである。
【００３６】
ここで、顔検出機能について説明する。
【００３７】
システム制御部２０１は、メモリ２１０に保持されている画像データ（スルー画像を含む）を読み出し、水平方向および垂直方向のバンドパスフィルタをかけ、エッジ成分を検出する。次に、システム制御部２０１は、検出されたエッジ成分のパターンマッチングを行い、目及び鼻、口、耳の候補群を抽出する。さらに、システム制御部２０１は、パターンマッチングにより抽出された目の候補群の中から、予め設定された条件（例えば２つの目の距離、傾き等）を満たすものを、目の対と判断し、目の対があるもののみを目の候補群として絞り込む。そして、システム制御部２０１は、絞り込まれた目の候補群とそれに対応する顔を形成する他のパーツ（鼻、口、耳）を対応付け、また、予め設定された非顔条件フィルタを通すことで顔を検出し、検出結果に応じて顔の特徴情報を生成しシステムメモリ２１２に記憶する。なお、検出された顔をユーザに通知するために、例えば顔の位置座標やサイズに応じて、表示部１０１に顔枠などを画像と重ね合わせて表示することも可能である。
【００３８】
以上のようにライブビュー表示あるいは再生表示される画像データを解析して、画像中の被写体の特徴情報を抽出することが可能である。本実施形態では被写体の特徴情報として顔情報を例に挙げたが、これ以外に赤目判定や目の検出、目つむり検出、笑顔検出などの様々な情報がある。
【００３９】
なお、顔ＡＦと同時に顔ＡＥ、顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のホワイトバランスを最適化することである。
【００４０】
個人認証部２１９は、顔の特徴情報が登録されたデータベースを参照することにより、上記のように検出された顔から特定の人物を認証する機能を備えている。なお、この個人認証機能をシステム制御部２０１に持たせても良い。
【００４１】
なお、ハードウェアの構成は図２に示すものに限定されず、例えば１つのハードウェアが表示制御、通信制御、記録制御、画像処理制御などを行い、デジタルカメラ１００の各手段として機能しても良い。また、複数のハードウェアが協働して１つの手段として機能しても良い。
【００４２】
＜画面表示例＞次に、図３を参照して、本実施形態の各モード処理における画面表示例について説明する。
【００４３】
以下では、デジタルカメラ１００を起動（電源オン）してから電池の認証処理が完了するまでの静止画撮影時および動画記録時の表示画面の遷移について説明する。
【００４４】
図３（ａ）は、動画記録モード時のスルー画像の表示状態を示している。
【００４５】
図３（ｂ）は、図３（ａ）のスルー画像の表示中に動画記録開始指示を受けたときの状態を示している。電池認証が完了したか否かに依らず、動画記録開始指示を受けた場合には動画記録処理を開始する。
【００４６】
図３（ｃ）は、図３（ｂ）の動画記録中に電池認証に失敗し、動画記録が停止された状態を示している。動画記録モード時に電池認証が失敗した場合に動画記録を中断することで、模倣電池が使用されていた場合の異常な発熱を防ぐことができる。なお、電池認証に成功した場合は、動画記録を継続する。また、動画記録時間が事前に決まっていて、なおかつ録画時間が短い場合には、模倣電池使用による発熱は小さいと考えられるため、録画を継続しても良い。
【００４７】
図３（ｄ）は、静止画撮影モード時のスルー画像表示状態を示している。
【００４８】
図３（ｅ）は、図３（ｄ）のスルー画像表示中に撮影準備指示（ＳＷ１オン）を受けてＡＥ／ＡＦ動作が行われたときの状態を示している。
【００４９】
図３（ｆ）は、図３（ｅ）のＡＥ／ＡＦ動作中に撮影指示（ＳＷ２オン）を受けて静止画撮影・記録動作が行われたときの状態を示している。静止画撮影モード時は、電池認証に失敗する前に撮影指示を受け静止画記録を開始した場合には記録が完了するまで中断しないが、電池認証に失敗した後に撮影指示を受けた場合には記録動作を抑制する。このように、静止画撮影時には電池認証に失敗する前の撮影指示を受け付けて記録動作を行うことにより撮影チャンスを逃すことを防ぐことができる。
【００５０】
また、静止画連写撮影時には記録動作を開始する前に電池認証が完了したか否かを判定し、認証失敗の場合には撮影を中断する。また、セルフタイマー撮影時には、カウントダウン中であっても記録動作を開始していないのであれば撮影を中断する。
【００５１】
＜カメラ起動後の動作＞次に、図４から図１１を参照して、本実施形態の電池認証失敗処理を含むカメラ起動後の動作について説明する。
【００５２】
なお、図４から図１０の処理は、システム制御部２０１が不揮発性メモリ２１３に格納されたプログラムをシステムメモリ２１２に展開して実行し、各部を制御することにより実現される。また、図４の処理は、電池１１１が装着された状態で電源ボタン１０２が押下されて電源がオンされると開始される。
【００５３】
ステップＳ４０１では、システム制御部２０１は、電池認証部２１８により電池認証処理を開始する。
【００５４】
ステップＳ４０２では、システム制御部２０１は、電池認証済みフラグがオンであるか否かを判定する。電池認証済みフラグは電池認証処理が完了するとオンにセットされ、システムメモリ２１２に記憶されている変数である。判定の結果、電池認証が完了している場合にはステップＳ４０６へ進み、完了していない場合にはステップＳ４０３へ進む。
【００５５】
ステップＳ４０３では、システム制御部は、電池認証部２１８から電池認証完了通知を受けているか否かを判定する。判定の結果、電池認証完了通知を受けている場合にはステップＳ４０４へ進み、受けていない場合にはステップＳ４０６へ進む。
【００５６】
ステップＳ４０４では、システム制御部２０１は、電池認証部２１８が電池認証に成功したか否かを判定する。判定の結果、成功した場合（つまり、純正電池であると判定された場合）にはステップＳ４０５へ進み、失敗した場合（つまり、純正電池ではないと判定された場合）にはステップＳ４１３へ進む。
【００５７】
ステップＳ４０５では、システム制御部２０１は、電池認証済みフラグをオンにしてシステムメモリ２１２に記憶しする。
【００５８】
また、ステップＳ４１４、Ｓ４１５では、システム制御部２０１は、電池認証失敗処理を実行し、電池認証済みフラグをオンにしてシステムメモリ２１２に記憶し、ステップＳ４１３へ進む。
【００５９】
ステップＳ４０６では、システム制御部２０１は、モード切替ボタン１０４の位置からカメラの動作モードを判定する。そして、ステップＳ４０６で静止画撮影モードと判定された場合はステップＳ４０７、動画記録モードの場合はステップＳ４０８、再生モードの場合はステップＳ４０９、外部機器接続モードの場合はステップＳ４１０、メニューモードの場合はステップＳ４１１、その他のモードの場合はステップＳ４１２に進む。各モード処理の詳細については後述する。なお、その他モードには複数の処理が含まれているが、本発明との関連性が低いため詳細な説明は省略する。
【００６０】
上述した各モード処理が終了すると、ステップＳ４１３に進み、システム制御部２０１は、電源ボタン１０２の押下または自動電源オフ時間の経過により電源オフ要求があったか否かを判定する。電源オフ要求がない場合にはステップＳ４０２へ戻り、電源オフ要求があった場合には電源をオフして、本処理を終了する。
【００６１】
＜電池認証失敗処理＞次に、図５を参照して、図４のステップＳ４１４における電池認証失敗処理について説明する。
【００６２】
ステップＳ５０１では、システム制御部２０１は、表示部１０１に図１１（ａ）に示すような電池種別を問い合わせる確認画面を表示し、使用している電池が純正品であると思っているか否かをユーザに問い合わせる。ユーザは図１１（ａ）の確認画面に表示されている選択肢のいずれかを選択することにより、純正電池であると思っているか否かを選択可能である。
【００６３】
ステップＳ５０２では、システム制御部２０１は、ユーザが図１１（ａ）の選択肢から、純正電池であると思っているか（図１１（ａ）の「はい」が選択）、純正電池ではないことを認識しているるか（図１１（ａ）の「いいえ」が選択）を判定する。判定の結果、「いいえ」（純正電池でないことを認識している）が選択された場合はステップＳ５０３に進み、「はい」（純正電池であると思っている）が選択された場合はステップＳ５０５へ進む。
【００６４】
ステップＳ５０３では、システム制御部２０１は、表示部１０１に図１１（ｂ）に示すような非純正電池の使用を継続するか否かを問い合わせる確認画面を表示し、使用を継続するか否かをユーザに問い合わせる。
【００６５】
ステップＳ５０４では、システム制御部２０１は、図１１（ｂ）の選択肢から、ユーザに継続使用の意思があるか否かを判定する。判定の結果、継続使用の意思がある場合（図１１（ｂ）の「はい」が選択）は本処理を終了し、継続使用の意思がない場合（図１１（ｂ）の「いいえ」が選択）はステップＳ５０６に進む。
【００６６】
ステップＳ５０５では、システム制御部２０１は、表示部１０１に図１１（ｃ）に示すような純正電池以外の電池を使用していることにより電源をオフすることを通知する画面を表示し、電源がオフされることをユーザに通知する。この場合、ユーザは使用している電池が純正品ではないのに、純正品であると誤認していると推定できる。
【００６７】
ステップＳ５０６では、システム制御部２０１は、電源オフ要求を行い、電源制御部２１４により電源をオフし、本処理を終了する。
【００６８】
＜静止画撮影モード処理＞次に、図６を参照して、図４のステップＳ４０７における静止画撮影モード処理について説明する。
【００６９】
ステップＳ６０１では、システム制御部２０１は、表示部１０１にスルー画像（ライブビュー画像）を表示する。
【００７０】
ステップＳ６０２では、システム制御部２０１は、電池認証済みフラグがオンであるか否か、すなわち電池認証が完了しているか否かを判定する。判定の結果、電池認証が完了している場合はステップＳ６０６へ進み、完了していない場合にはステップＳ６０３へ進む。
【００７１】
ステップＳ６０３では、システム制御部２０１は、電池認証部２１８から電池認証完了通知を受けているか否か判定する。
【００７２】
電池認証完了通知を受けている場合はステップＳ６０４へ進み、受けていない場合はステップＳ６０６へ進む。
【００７３】
ステップＳ６０４では、システム制御部２０１は、電池認証部２１８が電池認証に成功したか否かを判定する。判定の結果、電池認証に成功している場合はステップＳ６０５へ進み、失敗した場合はステップＳ６１３へ進む。
【００７４】
ステップＳ６０５では、システム制御部２０１は、電池認証済みフラグをオンにしてシステムメモリ２１２に記憶する。
【００７５】
ステップＳ６０６では、システム制御部２０１は、撮影準備指示（ＳＷ１オン）が行われたか否かを判定する。判定の結果、ＳＷ１がオンの場合はステップＳ６１１へ進み、オフの場合はステップＳ６０７へ進む。
【００７６】
ステップＳ６０７では、システム制御部２０１は、ＡＥ/ＡＦ動作を行う。
【００７７】
ステップＳ６０８では、システム制御部２０１は、撮影指示（ＳＷ２オン）が行われたか否かを判定する。判定の結果、ＳＷ２がオンの場合はステップＳ６０９へ進み、オフの場合はステップＳ６１０へ進む。
【００７８】
ステップＳ６０９では、システム制御部２０１は、ＳＷ１のオン状態が解除（オフ）されたか否かを判定する。判定の結果、ＳＷ１がオフの場合はステップＳ６１１へ進み、オンの場合はステップＳ６０８へ戻る。
【００７９】
ステップＳ６１０では、システム制御部２０１は、撮影・記録シーケンス処理を行う。すなわち、撮像部２０５からの信号読み出し、読み出した信号を画像ファイルにするための画像処理（ＲＡＷデータの現像処理を含む）、記録媒体１１０への画像ファイルの書き込み処理といった一連の撮影処理を行う。
【００８０】
ステップＳ６１１では、システム制御部２０１は、電源オフ要求があったか否かを判定する。判定の結果、電源オフ要求がない場合はステップＳ６１２へ進み、電源オフ要求がない場合は本処理を終了する。
【００８１】
ステップＳ６１２では、システム制御部２０１は、モード切替ボタン１０４によりモード変更指示があったか否かを判定し、モード変更指示がない場合はステップＳ６０２へ戻り、モード変更指示があった場合は本処理を終了する。
【００８２】
ステップＳ６１３、Ｓ６１４では、システム制御部２０１は、電池認証失敗処理を実行し、電池認証済みフラグをオンにしてシステムメモリ２１２に記憶し、ステップＳ６１１へ進む。
【００８３】
このように、静止画撮影モード時に撮影準備指示（ＳＷ１オン）が行われた後は、ＳＷ１のオン状態が解除される（ステップＳ６０９でＹＥＳ）か、撮影・記録シーケンスが完了する（ステップＳ６１０）までは、電池認証完了通知に応じた処理（ステップＳ６０３でＹＥＳ）は実行されない。従って、電池認証完了前に撮影指示がなされ、静止画の撮影・記録シーケンスの途中で電池認証が完了し、認証失敗の場合（純正電池ではないと判定）であっても、静止画撮影が中断されることはない。すなわち、静止画撮影モードにおいては、電源をオンしてからすぐに静止画撮影を行うことができ、とっさの撮影チャンスも逃すことなく撮影することができる。一方で、静止画を撮影しようとしていない場面（ＳＷ１がオフの状態）で電池認証完了通知を受けて、認証失敗の場合には電池認証失敗処理（Ｓ６１３）によって電源がオフされる場合がある。このようにすることで、とっさの撮影チャンスでの静止画撮影を妨げることなく、ユーザが意図せずに純正品ではない電池を使用していた場合の不具合を未然に防止することができる。静止画の撮影途中で電池認証が完了し、認証失敗の場合には、撮影途中の静止画の記録処理を最後まで行い、静止画撮影処理の終了後、電池認証失敗処理が行われる。
【００８４】
＜動画記録モード処理＞次に、図７を参照して、図４のステップＳ４０８における動画記録モード処理について説明する。
【００８５】
なお、図７のステップＳ７０１からＳ７０５、Ｓ７１７からＳ７２０はそれぞれ、図６のステップＳ６０１からＳ６０５、Ｓ６１１からＳ６１４と同様の処理である。よって、以下では、図６と異なる点を中心に説明を進める。
【００８６】
ステップＳ７０６では、システム制御部２０１は、動画記録ボタン１０５が押下されて動画記録開始指示が行われたか否かを判定する。判定の結果、動画記録開始指示が行われた場合はステップＳ７０７へ進み、行われない場合はステップＳ７１７へ進む。
【００８７】
ステップＳ７０７では、システム制御部２０１は、動画記録処理を開始する。すなわち、処理開始後に記録された動画データを記録媒体１１０に書き込む。このように、電池認証完了前（ステップＳ７０３でＮＯ）であっても動画の記録を開始することができるので、ユーザはとっさの撮影チャンスを逃さずに動画の記録を開始することができる。純正電池を使用している場合は後述する通り電池認証が完了しても動画の記録を継続することができるので、電池認証完了まで動画の記録が開始できずに撮影チャンスを逃してしまう、ということを防ぐことができる。
【００８８】
ステップＳ７０８では、システム制御部２０１は、動画記録停止指示が行われたか否かを判定する。判定の結果、動画記録停止指示が行われた場合はステップＳ７１４へ進み、行われない場合はステップＳ７０９へ進む。
【００８９】
ステップＳ７０９では、システム制御部２０１は、電池認証部２１８から電池認証完了通知を受けているか否か判定する。判定の結果、電池認証完了通知を受けている場合はステップＳ７１０へ進み、受けていない場合はステップＳ７０８へ戻る。
【００９０】
ステップＳ７１０では、システム制御部２０１は、電池認証部２１８が電池認証に成功したか否か判定する。判定の結果、成功した場合はステップＳ７１１へ進み、失敗した場合はステップＳ７１５へ進む。
【００９１】
ステップＳ７１１では、システム制御部２０１は、再度動画記録停止指示が行われるまで待ち、動画記録停止指示が行われた場合はステップＳ７１２へ進む。
【００９２】
ステップＳ７１２、Ｓ７１３では、システム制御部２０１は、動画記録処理を停止し、電池認証済みフラグをオンにしてシステムメモリ２１２に記憶し、ステップＳ７１７へ進む。
【００９３】
ステップＳ７１４では、システム制御部２０１は、動画記録処理を停止し、ステップＳ７１７へ進む。
【００９４】
ステップＳ７１５では、システム制御部２０１は、動画記録処理を停止し、ステップＳ７１６へ進む。すなわち、動画記録処理では電池認証完了前に動画の記録を開始することができるが、電池認証の結果、認証失敗の場合には即座に動画の記録が停止される。このようにすることで、動画記録処理という、処理時間が長く処理負荷も高い処理を純正品ではない電池を使用して継続してしまうことによりデジタルカメラが故障してしまう、ということを防ぐことができる。なおこの場合、電源オンから電池認証が完了するまでの短い時間の動画が記録されてしまうが、この短い動画は不要となる可能性が高いので、後でこの動画（動画ファイル）の全体を削除するようにしても良い。
【００９５】
ステップＳ７１６では、システム制御部２０１は、電池認証失敗処理を実行する。この電池認証失敗処理では、図５で説明した通り、電源がオフされる場合がある。
【００９６】
なお、本実施形態においては、動画記録モード時において認証失敗の場合には処理を中断（停止）する例を説明したが、数秒程度の短い時間の録画であれば、認証失敗の場合にも中断せずに行っても良い。数秒程度の短い時間であれば最後まで処理を行っても純正品ではない電池を使用することによる不具合、悪影響が出る可能性が低いからである。
【００９７】
＜再生モード処理＞次に、図８を参照して、図４のステップＳ４０９における再生モード処理について説明する。
【００９８】
なお、図８のステップＳ８０１からＳ８０４、Ｓ８１５からＳ８１８はそれぞれ、図６のステップＳ６０２からＳ６０５、Ｓ６１１からＳ６１４と同様の処理である。よって、以下では、図６と異なる点を中心に説明を進める。
【００９９】
ステップＳ８０５では、システム制御部２０１は、記録媒体１１０に記録されている画像ファイル（静止画、動画）を再生する。再生される画像ファイルは、ユーザがファイル一覧画面から選択したものであったり、ファイル名順に自動再生されるものである。
【０１００】
ステップＳ８０６では、システム制御部２０１は、再生停止指示が行われたか否かを判定する。判定の結果、再生停止指示が行われた場合はステップＳ８１２へ進み、行われない場合はステップＳ８０７へ進む。
【０１０１】
ステップＳ８０７では、システム制御部２０１は、電池認証部２１８から電池認証完了通知を受けているか否か判定する。判定の結果、電池認証完了通知を受けている場合はステップＳ８０８へ進み、受けていない場合はステップＳ８０６へ戻る。
【０１０２】
ステップＳ８０８では、システム制御部２０１は、電池認証部２１８が電池認証に成功したか否か判定する。判定の結果、成功した場合はステップＳ８０９へ進み、失敗した場合はステップＳ８１３へ進む。
【０１０３】
ステップＳ８０９では、システム制御部２０１は、再度再生停止指示が行われるまで待ち、再生停止指示が行われた場合はステップＳ８１１へ進む。
【０１０４】
ステップＳ８１３、Ｓ８１４では、システム制御部２０１は、画像の再生を停止し、電池認証済みフラグをオンにしてシステムメモリ２１２に記憶し、ステップＳ８１５へ進む。このように、画像の再生、例えば動画の再生自体は、電池認証完了前に開始できるが、認証失敗（純正電池ではないと判定）の場合は、電池認証が完了した時点で再生していた動画の再生を停止する。
【０１０５】
このように、再生モード時においては電池認証完了前に画像の再生を開始することができるが、認証失敗の場合（純正電池ではないと判定）には即座に再生が停止される。このようにすることで、電池認証が完了しているか否かに関わらず素早く画像を再生することができるので、ユーザを待たせることなく画像を鑑賞できる。一方で、認証失敗の場合には、処理時間が長く処理負荷も高い動画再生処理を純正品ではない電池を使用して継続してしまうことによりデジタルカメラが故障してしまう、ということを防ぐことができる。
【０１０６】
＜外部機器接続モード処理＞次に、図９を参照して、図４のステップＳ４１０における外部機器接続モード処理について、外部機器と無線接続を行う例を説明する。
【０１０７】
なお、図９のステップＳ９０２からＳ９０５、Ｓ９１６（Ｓ９１９）、Ｓ９１７（Ｓ９２０）はそれぞれ、図６のステップＳ６０２からＳ６０５、Ｓ６１３、Ｓ６１４と同様の処理である。よって、以下では、図６と異なる点を中心に説明を進める。
【０１０８】
ステップＳ９０１では、システム制御部２０１は、表示部１０１に図１１（ｄ）に示すような無線接続メニュー画面を表示する。
【０１０９】
ステップＳ９０６では、システム制御部２０１は、ユーザ操作により無線接続開始指示が行われたか否かを判定する。判定の結果、無線接続開始が行われた場合はステップＳ９０７に進み、行われていない場合はステップＳ９０２に戻る。なお、無線接続開始指示に関するユーザ操作には、接続方式の選択（カメラをアクセスポイントとするか、他のアクセスポイントを介して接続するか、等）、接続相手機器の選択操作（ＳＳＩＤなどの接続ＩＤの入力を含んでも良い）、選択した接続相手機器への接続の実行開始指示が含まれる。
【０１１０】
ステップＳ９０７では、システム制御部２０１は、表示部１０１に図１１（ｅ）に示すような無線接続処理中であることを通知する接続待機画面を表示する。
【０１１１】
ステップＳ９０８では、システム制御部２０１は、電池認証済みフラグがオンであるか否か、すなわち電池認証が完了しているか否かを判定する。判定の結果、電池認証が完了している場合はステップＳ９１２へ進み、完了していない場合はステップＳ９０９へ進む。
【０１１２】
ステップＳ９０９では、システム制御部２０１は、電池認証部２１８から電池認証完了通知を受けるまで待ち、電池認証完了通知を受けた場合はステップＳ９１０へ進む。すなわち、電池認証完了前であっても無線接続のための操作、無線接続開始の実行指示は受け付けられるが、実際の接続処理は電池認証が完了するまで行われない。これは、電池認証完了前の時点では、まだ認証失敗となって電源をオフする可能性があり、接続を確立してもすぐに接続が切断されてしまう可能性があるからである。接続を確立した後すぐに接続を切断してしまうと、接続相手の外部機器の電力消費、処理負荷が無駄になってしまう。このように、接続を確立した後に電池認証が原因ですぐに接続が切断されてしまうという状況を防ぐため、電池認証が完了するまでは接続の確立を行わない。ただし、ユーザの操作感を損なわないように、無線接続開始指示までの操作は、電池認証完了前であっても受け付ける。
【０１１３】
ステップＳ９１０では、システム制御部２０１は、電池認証部２１８が電池認証に成功したか否か判定する。判定の結果、成功した場合はステップＳ９１１へ進み、失敗した場合はステップＳ９１９へ進む。
【０１１４】
ステップＳ９１１では、システム制御部２０１は、電池認証済みフラグをオンにしてシステムメモリ２１２に記憶し、ステップＳ９１２へ進む。
【０１１５】
ステップＳ９１２では、システム制御部２０１は、無線接続処理を開始し無線接続状態に遷移させる。
【０１１６】
ステップＳ９１３では、システム制御部２０１は、電源オフ要求があったか否かを判定する。判定の結果、電源オフ要求がない場合はステップＳ９１４へ進み、電源オフ要求があった場合は本処理を終了する。
【０１１７】
ステップＳ９１４では、システム制御部２０１は、無線接続が解除されたか否かを判定する。判定の結果、無線接続が解除されていない場合はステップＳ９１５に進み、解除された場合は本処理を終了する。
【０１１８】
ステップＳ９１５では、モード切替ボタン１０４によりモード変更指示があったか否かを判定し、モード変更指示がない場合はステップＳ８１３へ戻り、モード変更指示があった場合は本処理を終了する。
【０１１９】
また、ステップＳ９１８（Ｓ９２１）では、システム制御部２０１は、電源オフ要求があった場合はステップＳ９０６（Ｓ９１２）へ進み、電源オフ要求がない場合は本処理を終了する。
【０１２０】
本実施形態のように外部機器と無線接続を行う方式として、例えば、ＷｉＦｉ、ＢｌｕｅＴｏｏｔｈ（登録商標）、赤外線通信などがある。また、ＰＣやプリンタのような外部機器に対してＵＳＢ（Ｕｎｉｖｅｒｓａｌ  Ｓｅｒｉａｌ  Ｂｕｓ）などの有線で接続する場合でも本実施形態を適用できる。プリンタと接続する場合には特に、接続確立に伴ってプリンタ側がインクやトナーの消費を伴う印刷準備処理を行うことが考えられるが、この印刷準備処理が無駄に行われてインクやトナーが浪費されてしまう可能性も低減することができる。
【０１２１】
このように、外部機器接続モード時においては、電池認証が完了するまで外部機器との接続の開始を待たせることにより、認証失敗の場合に接続中断処理を行うことがないため接続相手の機器への影響を少なくすることができる。また、外部機器との接続開始は行わないがユーザによる接続操作は許可するため、処理中によりユーザが待たされる感覚を軽減することができる。さらには、認証成功の場合は電池認証処理をユーザに意識させないようにすることが可能である。
【０１２２】
＜メニューモード処理＞次に、図１０を参照して、図４のステップＳ４１１におけるメニューモード処理について説明する。
【０１２３】
なお、図１０のステップＳ１００４からＳ１００６、Ｓ１００９からＳ１０１２はそれぞれ、図６のステップＳ６０３からＳ６０５、Ｓ６１１から６１４と同様の処理である。よって、以下では、図６と異なる点を中心に説明を進める。
【０１２４】
ステップＳ１００１では、システム制御部２０１は、電池認証済みフラグがオンであるか否か、すなわち電池認証が完了しているか否かを判定し、電池認証が完了している場合はステップＳ１００８へ進み、完了していない場合はステップＳ１００２へ進む。
【０１２５】
ステップＳ１００２では、システム制御部２０１は、図１１（ｆ）に示すようなメニュー画面における「個人認証設定」の選択肢をグレーアウトするように画面表示用データを生成する。
【０１２６】
ステップＳ１００３では、システム制御部２０１は、表示部１０１に図１１（ｆ）に示すようなメニュー画面を表示し、表示されたメニュー画面に対するユーザからの各種操作を受け付ける。図１１（ｆ）に示すメニュー画面において、画面最下列の「個人認証設定」の項目をグレーアウトして（通常表示時とは表示形態を変えて）表示する。ユーザは、メニュー画面に表示された各項目のうち、個人認証設定の項目は選択できず、個人認証に関する設定処理操作を行うことはできない。他の項目は選択することができる。
【０１２７】
ステップＳ１００７では、システム制御部２０１は、図１１（ｆ）に示すようなメニュー画面における「個人認証設定」の選択肢をグレーアウトを解除する。
【０１２８】
ステップＳ１００８では、システム制御部２０１は、表示部１０１に図１１（ｇ）に示すようなメニュー画面を表示し、表示されたメニュー画面に対するユーザからの各種操作を受け付ける。なお、ステップＳ１００７からステップＳ１００８に進んだ場合は、メニュー画面は新たに表示するのではなく、表示されていたメニュー画面について、「個人認証設定」の項目の表示形態の変更が行われる。図１１（ｇ）に示すメニュー画面は、図１１（ｆ）とは異なり、個人認証設定の項目はグレーアウトされていない。ユーザが個人認証設定の項目を選択した場合は、その下位の階層で、例えば以下の（１）から（４）の操作が可能である。
【０１２９】
（１）個人認証を「入」とするか「切」とするかの設定。「入」に設定した場合、撮影時にスルー画像から検出された顔が、登録された人物であると判定されると、登録された人物の名前をスルー画像に重畳して表示する。また、登録された人物に優先的にピントを合わせる顔ＡＦを行う。
【０１３０】
（２）新たな人物情報の登録操作。登録したい人物の顔をユーザに撮影させ、撮影された画像から顔の特徴データを抽出して、不揮発性メモリ２１３に格納される辞書データに登録する。
【０１３１】
（３）登録した人物の名前、誕生日などのプロフィール情報の編集。
【０１３２】
（４）登録した人物情報の削除
図１０に戻り、ステップＳ１００９およびＳ１０１０では、システム制御部２０１は、電源オフ要求があった場合は本処理を終了し、電源オフ要求がない場合はモード変更指示があるまでステップＳ１００９とＳ１０１０の処理を繰り返し行う。
【０１３３】
また、ステップＳ１０１３では、システム制御部２０１は、電源オフ要求があった場合は本処理を終了し、電源オフ要求がない場合はステップＳ１００７へ進む。
【０１３４】
このように、メニューモード処理においては、電池認証完了前に、メニュー画面の項目のうち、個人認証設定に関する機能はグレーアウトした上で選択不可状態とし、実行を禁止することができる。
【０１３５】
なお、電池認証完了前に実行を禁止する機能として、記録済み動画の編集や静止画をつなぎ合わせた新規の動画の作成などの編集に関する機能を禁止するようにしても良い。動画の編集は処理負荷が特に高く、編集実行指示がなされてから内部的な処理が完了するまでに時間を要する。従って、電池認証完了前に動画編集処理が開始された場合、編集処理が完了する前、すなわち編集処理の途中で電池認証が完了する可能性がある。そして、認証失敗の場合には編集処理が完了することなく電源がオフとなる可能性がある。このような状況を防止するために、電池認証が完了するまでは動画の編集処理は開始しない。なお、電池認証完了前に動画の編集処理を開始できるように設計する場合は、動画撮影と同様に、認証失敗であった場合には編集処理を中断することが好適である。動画編集は処理負荷が高く時間がかかるため、低品質な模倣電池で実行してしまうと不具合を起こす可能性が高まるからである。
【０１３６】
なお、システム制御部２０１の制御は１つのハードウェアが行っても良いし、複数のハードウェアが処理を分担することで、装置全体の制御を行っても良い。
【０１３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３８】
また、上述した実施形態においては、本発明をデジタルカメラなどの電子機器に適用した場合を例にして説明したが、本発明はこの例に限定されず、例えば、電池認証機能や人物認証機能などを有する装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【０１３９】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び当該プログラムを記憶した記憶媒体は本発明を構成することになる。
【図１】
2015127889.tif 000003
【図２】
2015127889.tif 000004
【図３】
2015127889.tif 000005
【図４】
2015127889.tif 000006
【図５】
2015127889.tif 000007
【図６】
2015127889.tif 000008
【図７】
2015127889.tif 000009
【図８】
2015127889.tif 000010
【図９】
2015127889.tif 000011
【図１０】
2015127889.tif 000012
【図１１】
2015127889.tif 000013